(57)【要約】【課題】保有スクリュリストの作成労力及び作成時間を短縮することができる二軸スクリュ押出機の部品リスト作成装置、二軸スクリュ押出機の部品管理装置、二軸スクリュ押出機の部品リスト作成及び二軸スクリュ押出機の部品管理プログラムを提供する。【解決手段】二軸スクリュ押出機のスクリュ形状を構成する個々のスクリュを選択又は連結して前記スクリュ形状を構成する二軸スクリュ押出機の部品リスト作成装置であって、前記スクリュ形状のスクリュ形状データをスクリュ形状因子毎に分類し、前記スクリュ形状因子及び前記個々のスクリュの種別を含む保有スクリュリストを作成することを特徴とする二軸スクリュ押出機の部品リスト作成装置。【選択図】図２
2011221685.tif 000002
【特許請求の範囲】
【請求項１】
二軸スクリュ押出機のスクリュ形状を構成する個々のスクリュを選択又は連結して前記スクリュ形状を構成する二軸スクリュ押出機の部品リスト作成装置であって、
前記スクリュ形状のスクリュ形状データをスクリュ形状因子毎に分類し、前記スクリュ形状因子及び前記個々のスクリュの種別を含む保有スクリュリストを作成することを特徴とする二軸スクリュ押出機の部品リスト作成装置。
【請求項２】
請求項１に記載の二軸スクリュ押出機の部品リスト作成装置であって、
複数の二軸スクリュ押出機を対象とした保有スクリュリストを作成することを特徴とする二軸スクリュ押出機の部品リスト作成装置。
【請求項３】
請求項１又は２に記載の二軸スクリュ押出機の部品リスト作成装置であって、
前記保有スクリュリストに基づいて、個々のスクリュの保有数を任意に修正することを特徴とする二軸スクリュ押出機の部品リスト作成装置。
【請求項４】
二軸スクリュ押出機のスクリュ形状を構成する個々のスクリュを選択又は連結して前記スクリュ形状を構成する二軸スクリュ押出機の部品管理装置であって、
前記スクリュ形状のスクリュ形状因子及び前記個々のスクリュの種別を含む保有スクリュリストから得られるスクリュ保有数を基に、使用する予定のスクリュ形状のスクリュ形状データから得られる使用スクリュ数を減算することを特徴とする二軸スクリュ押出機の部品管理装置。
【請求項５】
二軸スクリュ押出機のスクリュ形状を構成する個々のスクリュを選択又は連結して前記スクリュ形状を構成する二軸スクリュ押出機の部品管理装置であって、
前記スクリュ形状のスクリュ形状因子及び前記個々のスクリュの種別を含む保有スクリュリストから得られるスクリュ保有数を基に、使用する予定がないスクリュ形状のスクリュ形状データから得られる使用スクリュ数、及び使用する予定のスクリュ形状のスクリュ形状データから得られる使用スクリュ数の少なくとも一つを、加減算することを特徴とする二軸スクリュ押出機の部品管理装置。
【請求項６】
二軸スクリュ押出機のスクリュ形状を構成する個々のスクリュを選択又は連結して前記スクリュ形状を構成することをコンピュータに実行させる二軸スクリュ押出機の部品リスト作成プログラムであって、
前記スクリュ形状のスクリュ形状データをスクリュ形状因子毎に分類し、前記スクリュ形状因子及び前記個々のスクリュの種別を含む保有スクリュリストを作成することを特徴とする二軸スクリュ押出機の部品リスト作成プログラム。
【請求項７】
請求項６に記載の二軸スクリュ押出機の部品リスト作成プログラムであって、
複数の二軸スクリュ押出機を対象とした保有スクリュリストを作成することを特徴とする二軸スクリュ押出機の部品リスト作成プログラム。
【請求項８】
請求項６又は７に記載の二軸スクリュ押出機の部品リスト作成プログラムであって、
前記保有スクリュリストに基づいて、個々のスクリュの保有数を任意に修正することを特徴とする二軸スクリュ押出機の部品リスト作成プログラム。
【請求項９】
二軸スクリュ押出機のスクリュ形状を構成する個々のスクリュを選択又は連結して前記スクリュ形状を構成することをコンピュータに実行させる二軸スクリュ押出機の部品管理プログラムであって、
前記スクリュ形状のスクリュ形状因子及び前記個々のスクリュの種別を含む保有スクリュリストから得られるスクリュ保有数を基に、使用する予定のスクリュ形状のスクリュ形状データから得られる使用スクリュ数を減算することを特徴とする二軸スクリュ押出機の部品管理プログラム。
【請求項１０】
二軸スクリュ押出機のスクリュ形状を構成する個々のスクリュを選択又は連結して前記スクリュ形状を構成することをコンピュータに実行させる二軸スクリュ押出機の部品管理プログラムであって、
前記スクリュ形状のスクリュ形状因子及び前記個々のスクリュの種別を含む保有スクリュリストから得られるスクリュ保有数を基に、使用する予定がないスクリュ形状のスクリュ形状データから得られる使用スクリュ数、及び使用する予定のスクリュ形状のスクリュ形状データから得られる使用スクリュ数の少なくとも一つを、加減算することを特徴とする二軸スクリュ押出機の部品管理プログラム。
【発明の詳細な説明】
【技術分野】
【０００１】
本発明は、二軸スクリュ押出機のスクリュ形状を個々のスクリュの適宜選択あるいはその連結によってコンピュータ上で構成する二軸スクリュ押出機の部品リスト作成装置、二軸スクリュ押出機の部品管理装置、二軸スクリュ押出機の部品リスト作成プログラム及び二軸スクリュ押出機の部品管理プログラムに関する。
【背景技術】
【０００２】
二軸スクリュ押出機のスクリュ形状を容易に描画する技術が知られている（下記特許文献１参照）。これは、二軸スクリュ押出機のスクリュ形状を個々のスクリュの適宜選択あるいはその連結によってコンピュータ上で構成するためのツールである。このツールは、スクリュ形状を構成する全てのスクリュ種別を明瞭に把握できるメリットや、手作業によりスクリュを組み立てる際や工場別に同一のスクリュ構成とした押出機で生産する場合の情報共有などの面で容易化が図れるメリットがある。
【０００３】
しかし、この技術はスクリュ構成が異なる複数台の押出機を統括したスクリュ種別やその個数の把握、更には予備スクリュの管理までが行えるわけではないため、保有するスクリュ種別を一元管理するには別の手段が必要となる。
【０００４】
そこで、従来では保有するスクリュ種別を一元管理するため、例えば、Ｍｉｃｒｏｓｏｆｔ（登録商標）社製のＥｘｃｅｌなどの表計算ソフトを用いる手段が代表的かつ一般的である。この活用例として、ユーザは、例えばフルフライトスクリュであればスクリュ長、スクリュリード、スクリュ外形などに、ニーディングディスクであればスクリュ長、ディスクズラシ角度、ディスク枚数、スクリュ外形などに分類された全ての保有スクリュを事前に登録及び作成しておく。
【０００５】
そして、ユーザはこれらのデータに基づいて、押出機に適用したいスクリュ構成が可能か否かを検討したり、あるいは複数台の押出機を所有する場合にそれぞれの使用スクリュを入力し、先に登録した保有スクリュリストから削減することで予備スクリュの管理を行うことができる。
【先行技術文献】
【特許文献】
【０００６】
【特許文献１】特許第３７９５８５２号公報
【発明の概要】
【発明が解決しようとする課題】
【０００７】
しかしながら、この手段によるスクリュ管理では、保有スクリュリストを作成するために多大な時間と労力を要し、使用スクリュの管理においても上記のスクリュ形状因子に加え、刻印番号なども含めた全ての管理が非常に煩雑になる。このため、人為的な手作業に依存したスタイルではミスの可能性も増え、定期的な管理台帳の見直しにも保有スクリュリストの作成と同等の労力と時間を要する危惧も生じていた。
【０００８】
本発明は上述した問題点を解決するためになされたものであり、保有スクリュリストの作成労力及び作成時間を短縮することができる二軸スクリュ押出機の部品リスト作成装置、二軸スクリュ押出機の部品管理装置、二軸スクリュ押出機の部品リスト作成プログラム及び二軸スクリュ押出機の部品管理プログラムを提供することを目的とする。
【課題を解決するための手段】
【０００９】
上述した課題を解決するため、本発明は、二軸スクリュ押出機のスクリュ形状を構成する個々のスクリュを選択又は連結して前記スクリュ形状を構成する二軸スクリュ押出機の部品リスト作成装置であって、前記スクリュ形状のスクリュ形状データをスクリュ形状因子毎に分類し、前記スクリュ形状因子及び前記個々のスクリュの種別を含む保有スクリュリストを作成する。
【００１０】
また、複数の二軸スクリュ押出機を対象とした保有スクリュリストを作成する。
【００１１】
また、前記保有スクリュリストに基づいて、個々のスクリュの保有数を任意に修正する。
【００１２】
また、本発明は、二軸スクリュ押出機のスクリュ形状を構成する個々のスクリュを選択又は連結して前記スクリュ形状を構成する二軸スクリュ押出機の部品管理装置であって、前記スクリュ形状のスクリュ形状因子及び前記個々のスクリュの種別を含む保有スクリュリストから得られるスクリュ保有数を基に、使用する予定のスクリュ形状のスクリュ形状データから得られる使用スクリュ数を減算する。
【００１３】
また、本発明は、二軸スクリュ押出機のスクリュ形状を構成する個々のスクリュを選択又は連結して前記スクリュ形状を構成する二軸スクリュ押出機の部品管理装置であって、前記スクリュ形状のスクリュ形状因子及び前記個々のスクリュの種別を含む保有スクリュリストから得られるスクリュ保有数を基に、使用する予定がないスクリュ形状のスクリュ形状データから得られる使用スクリュ数、及び使用する予定のスクリュ形状のスクリュ形状データから得られる使用スクリュ数の少なくとも一つを、加減算する。
【００１４】
また、本発明は、二軸スクリュ押出機のスクリュ形状を構成する個々のスクリュを選択又は連結して前記スクリュ形状を構成することをコンピュータに実行させる二軸スクリュ押出機の部品リスト作成プログラムであって、前記スクリュ形状のスクリュ形状データをスクリュ形状因子毎に分類し、前記スクリュ形状因子及び前記個々のスクリュの種別を含む保有スクリュリストを作成する。
【００１５】
また、複数の二軸スクリュ押出機を対象とした保有スクリュリストを作成する。
【００１６】
また、前記保有スクリュリストに基づいて、個々のスクリュの保有数を任意に修正する。
【００１７】
また、本発明は、二軸スクリュ押出機のスクリュ形状を構成する個々のスクリュを選択又は連結して前記スクリュ形状を構成することをコンピュータに実行させる二軸スクリュ押出機の部品管理プログラムであって、前記スクリュ形状のスクリュ形状因子及び前記個々のスクリュの種別を含む保有スクリュリストから得られるスクリュ保有数を基に、使用する予定のスクリュ形状のスクリュ形状データから得られる使用スクリュ数を減算する。
【００１８】
また、本発明は、二軸スクリュ押出機のスクリュ形状を構成する個々のスクリュを選択又は連結して前記スクリュ形状を構成することをコンピュータに実行させる二軸スクリュ押出機の部品管理プログラムであって、前記スクリュ形状のスクリュ形状因子及び前記個々のスクリュの種別を含む保有スクリュリストから得られるスクリュ保有数を基に、使用する予定がないスクリュ形状のスクリュ形状データから得られる使用スクリュ数、及び使用する予定のスクリュ形状のスクリュ形状データから得られる使用スクリュ数の少なくとも一つを、加減算する。
【発明の効果】
【００１９】
以上のように、本発明によれば、保有スクリュリストの作成労力及び作成時間を短縮することができる。
【図面の簡単な説明】
【００２０】
【図１】本実施の形態に係る二軸スクリュ押出機の部品リスト作成装置のハードウェア構成を示すブロック図である。
【図２】本実施の形態に係る二軸スクリュ押出機の部品リスト作成装置の動作を示すフローチャートである。
【図３】代表的な二軸スクリュ押出機の部品形状作成ソフトの操作画面を示す図である。
【図４】「スクリュ図からスクリュリスト作成」コマンドを選択する画面を示す図である。
【図５】スクリュ図から保有スクリュリストを作成するための画面を示す図である。
【図６】既存スクリュ図の読込画面を示す図である。
【図７】保有スクリュリストを示す図である。
【図８】保有スクリュリストの保存画面を示す図である。
【図９】本実施の形態に係る二軸スクリュ押出機の部品管理装置の動作を示すフローチャートである。
【図１０】スクリュ保有数を演算させるための操作画面を示す図である。
【図１１】保有スクリュリストを読み込むための「開く」コマンドを選択する画面を示す図である。
【図１２】保有スクリュリストの読込画面を示す図である。
【図１３】保有スクリュリストが表示された操作画面を示す図である。
【図１４】「スクリュ使用状況の表示」コマンドを選択する画面を示す図である。
【図１５】スクリュ使用状況表示画面を示す図である。
【図１６】「一覧からスクリュ形状ファイルの追加」コマンドを選択する画面を示す図である。
【図１７】スクリュ形状ファイルの読込画面を示す図である。
【図１８】２台目の二軸スクリュ押出機のスクリュ改良形状図を示した画面を示す図である。
【図１９】「スクリュ使用状況の表示」コマンドを選択する画面を示す図である。
【図２０】保有数を変更するスクリュのリストを選択した画面を示す図である。
【図２１】図２０で選択したスクリュのリストを変更する操作画面を示す図である。
【図２２】保有スクリュリストから使用スクリュを減算した後のスクリュ使用状況画面を示す図である。
【図２３】スクリュ形状因子の項目選択画面を示す図である。
【図２４】保有スクリュリストを変更するためのスクリュリスト加減算機能画面を示す図である。
【図２５】改訂したスクリュリストの保存画面を示す図である。
【発明を実施するための形態】
【００２１】
以下、本発明の実施の形態について図面を参照しつつ説明する。図１は、本実施の形態に係る二軸スクリュ押出機の部品リスト作成装置１０のハードウェア構成を示すブロック図である。二軸スクリュ押出機の部品リスト作成装置１０は、不揮発性メモリ１１、メモリ１２、操作装置１３、表示装置１４及びＣＰＵ（Ｃｅｎｔｒａｌ  Ｐｒｏｃｅｓｓｉｎｇ  Ｕｎｉｔ）１５を備える。
【００２２】
不揮発性メモリ１１は、スクリュ形状ファイルや保有スクリュリスト等のデータ、種々のプログラム等を保存する。不揮発性メモリ１１としては、磁気テープ、磁気ディスク（ハードディスクドライブ等）、光ディスク（ＣＤ−ＲＯＭ、ＤＶＤディスク等）、光磁気ディスク（ＭＯ等）、フラッシュメモリ等、さらにネットワークを介することで伝送可能な媒体等、コンピュータでデータの読み取りや実行が可能な全ての媒体が挙げられる。メモリ１２は、スクリュ形状ファイルや保有スクリュリスト等のデータ、種々のプログラム、ＣＰＵ１５の演算結果等を一時的に保存する。
【００２３】
操作装置１３は、ユーザが画面、キーボード、マウス等を介して種々の操作をするための装置である。表示装置１４はＣＰＵ１５の演算結果やスクリュ形状ファイル等を表示する装置である。ＣＰＵ１５は、スクリュ形状因子等のスクリュ種別の分類、スクリュ保有数の演算、演算結果の表示装置１４への表示指示の他、保有スクリュリストの不揮発性メモリ１１への保存等を行う。なお、本実施の形態において、スクリュ形状因子としては、スクリュ長、スクリュリード、ディスクズラシ角度、ディスク枚数、スクリュ外形等が挙げられる。また、保有スクリュリストには、スクリュ形状因子の他、刻印番号等が含まれる。
【００２４】
次に、二軸スクリュ押出機の部品リスト作成装置１０の動作について説明する。図２は、本実施の形態に係る二軸スクリュ押出機の部品リスト作成装置１０の動作を示すフローチャートである。なお、以下の説明では、図１に示すハードウェアの構成を用いる場合がある。また、以下に示す動作は、二軸スクリュ押出機の部品リスト作成プログラムが図１に示すハードウェア（コンピュータ）に実行させるものである。
【００２５】
二軸スクリュ押出機の部品リスト作成装置１０は、図２に示すように、既存スクリュ形状ファイルに基づいて保有スクリュリストを作成する手段と、スクリュ種別とその個数とを入力して保有スクリュリストを生成する手段とを有する。
【００２６】
まず、既存スクリュ形状ファイルから保有スクリュリストを作成する手段について説明する。二軸スクリュ押出機の部品リスト作成装置１０が起動した後、ＣＰＵ１５は不揮発性メモリ１１に保存されている既存スクリュ形状ファイルを読み込む（Ｓ１）。そして、ＣＰＵ１５は、既存スクリュ形状ファイルのデータ（スクリュ形状データ）に基づいてスクリュ種別とその個数を演算する（Ｓ２）。その後、ＣＰＵ１５は演算結果に基づいて保有スクリュリストを作成し（Ｓ５）、保有スクリュリストを不揮発性メモリ１１に保存する。
【００２７】
次に、スクリュ種別とその個数との入力により保有スクリュリストを作成する手段について説明する。二軸スクリュ押出機の部品リスト作成装置１０が起動した後、ユーザによりスクリュのオブジェクト画面が選択され、スクリュ形状因子とその個数が入力される（Ｓ３）。そして、ユーザにより全ての保有スクリュについてその形状因子と個数を入力したか否か判断される（Ｓ４）。入力したと判断された場合（Ｓ４、ｙｅｓ）、ＣＰＵ１５は保有スクリュリストを作成し（Ｓ５）、保有スクリュリストのファイルを不揮発性メモリ１１に保存する（Ｓ６）。一方、入力されていない形状因子等があると判断された場合（Ｓ４、ｎｏ）、Ｓ３に戻る。
【００２８】
以下に、二軸スクリュ押出機の部品リスト作成装置１０の動作をより詳細に説明するため、二軸スクリュ押出機の部品リスト作成装置１０の遷移画面に従って説明する。なお、以下では、図２に示す２種類の動作のうち、既存スクリュ形状ファイルから保有スクリュリストを作成する動作について説明する。
【００２９】
図３は、代表的な二軸スクリュ押出機の部品形状作成ソフトの操作画面を示す図である。図４は、「スクリュ図からスクリュリスト作成」コマンドを選択する画面を示す図である。図５は、スクリュ図から保有スクリュリストを作成するための画面を示す図である。図６は既存スクリュ図の読込画面を示す図である。図７は保有スクリュリストを示す図である。図８は保有スクリュリストの保存画面を示す図である。
【００３０】
まず、図３に示すようなスクリュ形状ファイルを２台の押出機について作成し、予め保存しておく。スクリュ形状ファイルは、ユーザが操作装置１３により図３に示す画面の左側のノズルオブジェクトからスクリュ、シリンダ、及びノズルを選択して作成される。
【００３１】
そして、二軸スクリュ押出機の部品リスト作成装置１０を起動した後、前述の既存スクリュ形状ファイルが読み込まれ、既存スクリュ形状ファイルのデータが画面に表示される。そして、図４に示すように、メニューバーの「編集」メニューから「スクリュ図からスクリュリスト作成」コマンドが選択され、図５に示すように、スクリュ図からスクリュリストを作成するための画面が表示される。なお、図５に示す画面を表示させた時点では、スクリュ種別に応じたスクリュリストは作成されていない。
【００３２】
次に、図６に示すように、図４に示す２台の既存スクリュ押出機のスクリュ形状ファイルが選択され、二軸スクリュ押出機のスクリュ形状ファイルが読み込まれる。そして、図７に示すように、図６で読み込まれた２台の既存スクリュ形状ファイルについて、各形状因子毎に分類して保有スクリュリストが作成される。図７で示した形状因子等は、例えば図３に示すスクリュ形状を構成する際に入力した寸法毎に分類される。図７に示す画面により、２台の二軸スクリュ押出機におけるスクリュ種別毎のスクリュ数を加算した演算結果を保有数として、保有スクリュリストが作成される。
【００３３】
このため、ユーザは、図７に示すスクリュ長、リード、乗数などの各形状因子を個別に入力する必要がなく、既存スクリュ形状ファイルを読み込むだけで保有スクリュリストを作成することが可能になる。
【００３４】
最後に、図７の左上に示すツールバーの「保存コマンド」が選択され、図８に示す保有スクリュリストの保存画面で保有スクリュリストが保存される。
【００３５】
次に、二軸スクリュ押出機の部品管理装置の動作について説明する。なお、二軸スクリュ押出機の部品管理装置のハードウェア構成は、二軸スクリュ押出機の部品リスト作成装置１０と同様であるため、その説明を割愛する。以下では、図１に示すハードウェアの各構成を用いて説明する。また、以下に示す動作は、二軸スクリュ押出機の部品管理プログラムが図１に示すハードウェアにより実行させるものである。
【００３６】
図９は、本実施の形態に係る二軸スクリュ押出機の部品管理装置の動作を示すフローチャートである。まず、ユーザは二軸スクリュ押出機の部品管理装置を起動する。そして、ＣＰＵ１５は、二軸スクリュ押出機の部品リスト作成装置１０によって不揮発性メモリ１１に保存された保有スクリュリストを読み込む（Ｓ１１）。ＣＰＵ１５は、スクリュ種別とスクリュ保有数等の保有スクリュリストを表示装置１４に表示させる（Ｓ１２）。
【００３７】
次に、ユーザによりスクリュ形状ファイルが必要か否か判断される（Ｓ１３）。必要があると判断された場合（Ｓ１３、ｙｅｓ）、ＣＰＵ１５はスクリュ形状ファイルを不揮発性メモリ１１から読み込む（Ｓ１４）。そして、ユーザにより「スクリュ使用状況を表示」機能が選択される（Ｓ１５）。一方、必要がないと判断された場合（Ｓ１３、ｎｏ）、Ｓ１５に進む。
【００３８】
次に、ＣＰＵ１５はスクリュ種別とスクリュ保有数を演算し（Ｓ１６）、スクリュ使用状況画面へスクリュ種別とスクリュ保有数毎に、スクリュ保有数とスクリュ形状ファイルによるセット数及び演算結果によるスクリュの残保有数をスクリュ使用状況画面（表示装置１４）に表示させる（Ｓ１７）。
【００３９】
次に、ユーザにより表示装置１４の表示内容を印刷するか否か判断される（Ｓ１８）。印刷すると判断された場合（Ｓ１８、ｙｅｓ）、ＣＰＵ１５は表示装置１４に表示された保有スクリュリストを不図示のプリンタに印刷させる（Ｓ１９）。そして、ユーザにより保有スクリュリストを不揮発性メモリ１１に保存するか否かが判断される（Ｓ２０）。一方、印刷しないと判断された場合（Ｓ１８、ｎｏ）、Ｓ２０に進む。ユーザにより保有スクリュリストを保存すると判断された場合（Ｓ２０、ｙｅｓ）、ＣＰＵ１５は保有スクリュリストを不揮発性メモリ１１に保存し（Ｓ２１）、動作が終了する。保存しないと判断された場合には（Ｓ２０、ｎｏ）、動作を終了する。
【００４０】
以下に、二軸スクリュ押出機の部品管理装置の動作をより詳細に説明するため、保有スクリュリスト及びスクリュ形状ファイルからスクリュの残保有数を演算する動作について、二軸スクリュ押出機の部品管理装置の遷移画面に従って説明する。
【００４１】
図１０は、スクリュ保有数を演算させるための操作画面を示す図である。図１１は、保有スクリュリストを読み込むための「開く」コマンドを選択する画面を示す図である。図１２は、保有スクリュリストの読込画面を示す図である。図１３は、保有スクリュリストが表示された操作画面を示す図である。図１４は、「スクリュ使用状況の表示」コマンドを選択する画面を示す図である。図１５は、スクリュ使用状況表示画面を示す図である。図１６は、「一覧からスクリュ形状ファイルの追加」コマンドを選択する画面を示す図である。図１７は、スクリュ形状ファイルの読込画面を示す図である。図１８は、２台目の二軸スクリュ押出機のスクリュ改良形状図を示した画面を示す図である。図１９は、「スクリュ使用状況の表示」コマンドを選択する画面を示す図である。図２０は、保有数を変更するスクリュのリストを選択した画面を示す図である。図２１は、図２０で選択したスクリュのリストを変更する操作画面を示す図である。図２２は、保有スクリュリストから使用スクリュを減算した後のスクリュ使用状況画面を示す図である。
【００４２】
まず、図１０に示すように、スクリュ保有数を演算させるための操作画面を起動した後、図１１に示すように、ツールバーの「ファイル」メニューから「開く」コマンドが選択される。そして、図１２に示すように、二軸スクリュ押出機の部品リスト作成装置１０により作成された保有スクリュリストが読み込まれ、図１３に示すように、操作画面の保有スクリュリスト表示画面に保有スクリュリストが表示される。
【００４３】
次に、図１４に示すように、メニューバーの「表示」メニューから「スクリュ使用状況の表示」コマンドが選択され、スクリュの保有数と使用スクリュ数（セット数）とに基づいて残保有リスト数の演算が実施される。そして、図１５に示すように演算結果が表示される。
【００４４】
図１５に示す画面では、スクリュ種別毎のスクリュ種類や各形状因子が示されている。また、右から１〜３列の欄には、スクリュ種別毎のスクリュ保有数、セット数、残保有数が示されている。これらは、二軸スクリュ押出機の部品リスト作成装置１０で作成した保有スクリュリストとスクリュ形状ファイルとに基づいて演算された結果である。この段階では、スクリュ形状ファイルを読み出さず保有スクリュリストのみが演算されたため、図１５に示すようにセット数が０となり、残保有数が初期保有数と同じ数値となる。
【００４５】
次に、図１６に示すように、操作画面の編集メニューから「一覧からスクリュ形状ファイルの追加」コマンドが選択され、図１７に示すように、スクリュ形状ファイルの読込画面で、１号機ファイルと２号機改良ファイルが選択される。なお、２号機改良ファイルとは、２号機のスクリュ形状を若干変更したファイルである。２号機改良ファイルは、図１８に示すように、図３と同様に二軸スクリュ押出機の部品形状作成ソフトで２号機のファイルが読み込まれ、図１８の左側のノズルオブジェクト等を用い適宜変更して作成される。
【００４６】
次に、図１９に示すように、２台のスクリュ形状ファイルが読み込まれた画面が表示された後、図２０に示すように、スクリュの保有数を変更したいスクリュ種別が選択される。そして、図２１に示すように、選択したスクリュ種別のプロパティが表示され、「保有数」欄の数値が１３から１５へ変更される。図２１に示す操作画面では、保有数の他に、スクリュ種別に応じた外形や刻印番号などを一括して設定可能であるとともに、新たなスクリュ種別とその形状因子や保有数を新規に追加したり、保有スクリュリストを更新することも可能である。
【００４７】
このようにスクリュ種別に関する情報が変更された後、図１９に示すように、メニューバーの「表示」メニューの「スクリュ使用状況の表示」コマンドが選択される。そして、図１９に示す保有スクリュリストとスクリュ形状ファイルのデータに基づいて、残保有スクリュ数が演算された後、図２２に示すように、演算結果が表示される。
【００４８】
図２２で示した演算結果は、前述のように保有スクリュリスト及びスクリュ形状ファイルの２種類の情報に基づいて演算される。このため、図２２で示した演算結果には、図１５で示したスクリュ使用状況とは異なり、セット数の欄に現在使用しているセット数が表示されるとともに、残保有数が減算されて表示される。
【００４９】
ここで、図２２で示した演算結果には、残保有数に「−」を表示しているスクリュ種別が存在する。これは、現在の保有スクリュ数を基準とした場合、「−」を示したスクリュ種別が足りないことを意味する。すなわち、２号機の改良スクリュ案の構成は、現時点では不可能であることを表すものである。
【００５０】
以上のように、本実施の形態によれば、ユーザが各画面のコマンドをコンピュータのマウス等により操作するだけでスクリュの管理が可能である。このため、従来のキーボード操作による数値入力が必須だった機能と比較すると、その管理の容易性は格段に向上し労力と時間の低減に大きく寄与することが可能となる。
【００５１】
その一例として、本実施の形態に係る二軸スクリュ押出機の部品リスト作成装置１０を用いて同様に二軸スクリュ押出機２台分の保有スクリュリストを作成した。この結果、２分でその作業を終了することができた。
【００５２】
一方、Ｍｉｃｒｏｓｏｆｔ（登録商標）社製のＥｘｃｅｌを用いて二軸スクリュ押出機２台分の保有スクリュリストを作成した。フルフライトスクリュではスクリュ長、スクリュリード、スクリュ外形を、ニーディングディスクではスクリュ長、ディスクズラシ角度、ディスク枚数、スクリュ外形を形状因子として管理項目にまとめる作業を行った。この結果、３０分の時間を要した。
【００５３】
すなわち、保有スクリュリストの作成労力においても同様の短縮化が行えたといえる。また、これらの例だけを参考にすると、本実施の形態ではリスト作成時間を１５分の１に短縮することができた。
【００５４】
さらに、本実施の形態では、フルフライトスクリュやニーディングディスクに限らず、図３に示すような二軸スクリュ押出機の部品形状作成ソフトで描画可能なスクリュエレメントの全てに対して対応が可能となる。このため、切り欠きフライトスクリュやギアニーディングディスク、リング類など形状因子がそれぞれ異なるスクリュを容易に一元管理することができる。
【００５５】
なお、本実施の形態では、図２２に示すスクリュ使用状況画面において、スクリュ種別の形状因子のすべての項目について演算した結果を示したが、図２３に示す項目選択画面により、必要のない項目のチェックを外した後に再度演算することが可能となる。例えば、スクリュ長を不問としたスクリュリストを作成したい場合には、「Ｌ／Ｄ」の項目のチェックを外すことにより一括管理が可能となる。従って、従来の表計算ソフトを利用したスクリュ管理手法では困難だった管理が可能となる。
【００５６】
また、図２４に示すように、二軸スクリュ押出機の部品リスト作成装置１０により作成された１号機及び２号機の２台の保有スクリュリストから、１号機及び２号機改良形状の保有スクリュリストを新たに作成することができる。この手順は以下に示す通りである。
【００５７】
まず、ベースリストファイルが「参照」コマンドから選択される。そして、加算リストファイルとして２号機改良ファイルが「追加」コマンドから選択され、減算リストファイルとして２号機ファイルが「追加」コマンドから選択される。その後、図２５に示すように、２号機を改良したスクリュのリストを反映した保有スクリュリストが保存される際に、図２４に示されたベースリストファイルに基づいて加減演算が行われ、演算結果が不揮発性メモリ１１に保存される。
【００５８】
この手順によれば、２号機改良形状を保有スクリュリストに瞬時に反映させることができるため、保有スクリュリストの作成労力及び作成時間を短縮することができる。
【符号の説明】
【００５９】
１０  二軸スクリュ押出機の部品リスト作成装置、１１  不揮発性メモリ、１２  メモリ、１３  操作装置、１４  表示装置、１５  ＣＰＵ。
【図１】
2011221685.tif 000003
【図２】
2011221685.tif 000004
【図３】
2011221685.tif 000005
【図４】
2011221685.tif 000006
【図５】
2011221685.tif 000007
【図６】
2011221685.tif 000008
【図７】
2011221685.tif 000009
【図８】
2011221685.tif 000010
【図９】
2011221685.tif 000011
【図１０】
2011221685.tif 000012
【図１１】
2011221685.tif 000013
【図１２】
2011221685.tif 000014
【図１３】
2011221685.tif 000015
【図１４】
2011221685.tif 000016
【図１５】
2011221685.tif 000017
【図１６】
2011221685.tif 000018
【図１７】
2011221685.tif 000019
【図１８】
2011221685.tif 000020
【図１９】
2011221685.tif 000021
【図２０】
2011221685.tif 000022
【図２１】
2011221685.tif 000023
【図２２】
2011221685.tif 000024
【図２３】
2011221685.tif 000025
【図２４】
2011221685.tif 000026
【図２５】
2011221685.tif 000027